(57)【特許請求の範囲】
【請求項１】
扉に取り付けて使用する物品保持具であって、物品を保持する物品保持部材と、前記物品保持部材を保持するとともに、扉に取り付けるための取り付け部材を有し、
前記物品保持部材は、扉側に設けられた前記取り付け部材と係合するための部位を備えた係合部と、前記係合部の正面側に離間して設けられ、保持する物品の脱落を防止する脱落防止部と、前記係合部と前記脱落防止部の下方にて両者を連結し、上方が開口した受け部を備え、
前記取り付け部材は、扉の裏側に当接する裏面側片と、扉の正面側の正面側片と、前記裏面側片及び前記正面側片とを上方にて連結する連結片を有する引掛け部と、
扉の正面部分に当接する扉押え部と、前記扉押え部の下方正面側に離間して設けられた折り返し部と、前記扉押え部の下方部分と前記折り返し部とを連結する連結部を有する取り付け部材本体と、
前記扉押え部の下方部分と、前記折り返し部に回転自在に支持され、前記扉押え部の下方部分と、前記折り返し部の離間部にねじ部を有し、
前記引掛け部と、前記取り付け部材本体が、前記ねじ部のねじを介して連結固定される固定機構が形成され、
前記物品保持部材が前記取り付け部材に保持された状態で、前記固定機構が前記受け部に収納されることを特徴とする物品保持具。
【請求項２】
前記取り付け部材本体に、前記引掛け部の前記正面側片の両側に当接するガイド壁が形成されていることを特徴とする請求項１に記載の物品保持具。
【請求項３】
前記物品保持部材の前記脱落防止部の上方に、返し部が形成されていることを特徴とする請求項１又は２に記載の物品保持具。
【発明の詳細な説明】
【技術分野】
【０００１】
本発明は、キッチンや洗面台等の扉に固定して用いる物品保持具に関する。
【背景技術】
【０００２】
キッチンや洗面台等で使用するタオル等の物品を手元に掛ける場合、吸盤式の掛け具を前面壁や扉前面等に取付けて、これにタオル等の物品を掛けるのが一般的である。
【０００３】
しかしながら、吸盤式の掛け具の場合、取付ける場所の表面状態や、汚れ状態によってはすぐに脱落することがあり、長期間安定して使用することが困難な場合があった。
【０００４】
一方、上記の吸盤式の掛け具のほかに、扉に取付け可能な鉤状引掛部を具備し、これにリング状の係止部を保持して、この係止部にタオル等の物品を掛ける吊り下げタイプの掛け吊り具が提案されている（例えば、特許文献１を参照）。
【先行技術文献】
【特許文献】
【０００５】
【特許文献１】特開２００５−４０５０３号公報
【発明の概要】
【発明が解決しようとする課題】
【０００６】
このような吊り下げタイプの掛け吊り具では、長期間安定して使用することは可能であるが、例えばタオルをセットする際には、リング状の係止部にタオルを通さなくてはならず、また、タオルを外す場合には、リング状の係止部からタオルの片端を引っ張って抜かなくてはならず、使い勝手が悪いといった問題があった。
【０００７】
また、このようなリング状の係止部には、取手を有する袋等を吊り下げることができないという問題もあった。
【０００８】
さらに、鉤状引掛部の下部に係止部が吊り下げられた構成であるため、見た目のシンプルさに欠けるという欠点があった。
【０００９】
本発明は、以上のとおりの事情に鑑みてなされたものであり、扉に容易かつ強固に取り付けが可能であり、タオル等の物品のセット、取り外しが容易であり、さらにデザインがシンプルな物品保持具を提供することを課題としている。
【課題を解決するための手段】
【００１０】
本発明は、上記の課題を解決するために、以下のことを特徴としている。
【００１１】
即ち、本発明の物品保持具は、扉に取り付けて使用する物品保持具であって、物品を保持する物品保持部材と、前記物品保持部材を保持するとともに、扉に取り付けるための取り付け部材を有し、前記物品保持部材は、扉側に設けられた前記取り付け部材と係合するための部位を備えた係合部と、前記係合部の正面側に離間して設けられ、保持する物品の脱落を防止する脱落防止部と、前記係合部と前記脱落防止部の下方にて両者を連結し、上方が開口した受け部を備え、前記取り付け部材は、扉の裏側に当接する裏面側片と、扉の正面側の正面側片と、前記裏面側片及び前記正面側片とを上方にて連結する連結片を有する引掛け部と、扉の正面部分に当接する扉押え部と、前記扉押え部の下方正面側に離間して設けられた折り返し部と、前記扉押え部の下方部分と前記折り返し部とを連結する連結部を有する取り付け部材本体と、前記扉押え部の下方部分と、前記折り返し部に回転自在に支持され、前記扉押え部の下方部分と、前記折り返し部の離間部にねじ部を有し、
前記引掛け部と、前記取り付け部材本体が、前記ねじ部のねじを介して連結固定される固定機構が形成され、前記物品保持部材が前記取り付け部材に保持された状態で、前記固定機構が前記受け部に収納されることを特徴とする。
【００１４】
また、前記物品保持具において、前記取り付け部材本体に、前記引掛け部の前記正面側片の両側に当接するガイド壁が形成されていることが好ましい。
【００１５】
また、前記物品保持具において、前記物品保持部材の前記脱落防止部の上方に、返し部が形成されていることが好ましい。
【発明の効果】
【００１６】
本発明の物品保持具によれば、キッチンや洗面台等の扉に容易かつ強固に取り付けが可能であり、タオル等の物品のセット、取り外しが容易であり、さらにデザインがシンプルな物品保持具を提供することが可能となる。
【図面の簡単な説明】
【００１７】
【図１】本発明の物品保持具の一実施形態の構成を表す概略斜視図である。
【図２】本発明の物品保持具の一実施形態の構成を表す概略縦断面図である。
【図３】本発明の物品保持具の取り付け状態を示す概略斜視図である。
【図４】本発明の物品保持具の取り付け状態を示す概略縦断面図である。
【発明を実施するための形態】
【００１８】
以下、本発明の物品保持具の一実施形態について、図を用いて詳細に説明する。
【００１９】
本発明の物品保持具は、図１に示すように、タオル等の物品を保持する物品保持部材１０と、この物品保持部材１０を扉３に取り付けるための取り付け部材２０から構成されている。
【００２０】
物品保持部材１０は、扉３側に設けられた取り付け部材２０のガイド用溝２２５と係合するための凸状部１１１が内部両側に形成された係合部１１０と、この係合部１１０の正面側に離間して設けられて、保持する物品の脱落を防止するための脱落防止部１２０と、係合部１１０と脱落防止部１２０の下方にて両者を連結する受け部１３とが一体に形成されている。
【００２１】
また、脱落防止部１２０の上方は、保持した物品が容易に脱落しないように扉３側に向けて湾曲した返し部１２１が形成されている。
【００２２】
取り付け部材２０は図２に示すように、扉３の上端に引掛ける引掛け部２１０と、扉３の正面に当接する取り付け部材本体２２０と、引掛け部２１０と取り付け部材本体２２０とを間接的に連結するためのねじ２３０から構成されている。
【００２３】
扉３の上端に引掛ける引掛け部２１０は、扉３の裏側に当接する裏面側片２１２、扉の正面側の正面側片２１１及び、裏面側片２１２と正面側片２１１とを上方にて連結する連結片２１３が一体に形成されている。
【００２４】
取り付け部材本体２２０は、扉３の正面部分に当接する扉押え部２２１と、扉押え部２２１の下方正面側に離間して設けられた折り返し部２２２及び、扉押え部２２１の下方部分と折り返し部２２２とを連結する連結部２２３が一体に形成されている。
【００２５】
そして、扉押え部２２１の下方部分と、連結部２２３と、折り返し部２２２とで、鉤部２２４を形成している。
【００２６】
また、扉押え部２２１の両側には、図１に示すように、物品保持部材１０の係合部１１０と係合するガイド用溝２２５が形成されている。
【００２７】
ねじ２３０は、取り付け部材本体２２０の扉押え部２２１の下方部分と、折り返し部２２２で形成される鉤部２２４を貫通して支持され、回転自在に取り付けられている。
【００２８】
ねじ２３０の先端部は、扉押え部２２１の下方部分を貫通し、先端部が扉３と当接しないように形成された窪み２３３内に収納係止される係止部２３２が形成されており、ねじ２３０を手前に引っ張っても脱落しないようになっている。
【００２９】
扉押え部２２１の下方部分と、折り返し部２２２で形成される鉤部２２４の空間２４のねじ２３０には、雄ねじのねじ部２３１が形成されている。
【００３０】
一方、引掛け部２１０の正面側片２１１の下方部には、ねじ２３０のねじ部２３１と螺合する雌ねじのねじ溝２１４が形成され、これらねじ部２３１とねじ溝２１４の螺合により正面側片２１１が移動可能に連結されている。
【００３１】
このような構成により、引掛け部２１０と取り付け部材本体２２０は、ねじ２３０を介して連結固定される固定機構が形成されている。
【００３２】
上記固定機構の構成によれば、回転自在に支持されたねじ２３０を回転することにより、ねじ２３０のねじ部２３１に螺合された正面側片２１１は、鉤部２２４内の空間２４内を前後に移動が可能となる。
【００３３】
従って、正面側片２１１に一体に形成された裏面側片２１２も前後に移動が可能となり、取り付け部材本体２２０の扉押え部２２１と、引掛け部２１０の裏面側片２１２との距離ａを容易に変更することが可能となる。
【００３４】
なお、正面側片２１１は、図１に示すように、取り付け部材本体２２０に形成されたガイド壁２２６に挟まれるようにはめ込まれているため、引掛け部２１０全体が左右にがたつくことなく、安定して前後に移動することが可能となる。
【００３５】
本発明の物品保持具を扉３に取り付ける方法は、取り付け部材２０を扉３に取り付けた後、この取り付け部材２０に物品保持部材１０を係合して一体化させる。
【００３６】
まず、取り付け部材２０のねじ２３０を回転して、扉押え部２２１と裏面側片２１２との距離ａを扉３の厚み以上にしておく。
【００３７】
この状態で扉３の上端部に引掛け部２１０を引掛け、ねじ２３０を回転して扉押え部２２１と裏面側片２１２とで扉３を挟みこむ。即ち、この固定機構の動作により容易かつ強固に取り付け部材２０を扉３に取り付けることが可能となる。
【００３８】
次に、扉３に固定された取り付け部材２０のガイド用溝２２５に沿って、物品保持部材１０の係合部１１０内部両側に形成された凸状部１１１をはめ込みながら上からスライドして係合して、取り付け部材２０と物品保持部材１０を一体化する。
【００３９】
このように取り付け部材２０と物品保持部材１０を一体化することにより、取り付け部材２０の固定機構が物品保持部材１０の受け部１３内に収納されるため、図３、図４に示すようにシンプルなデザインの物品保持具とすることができる。
【００４０】
また、固定機構を受け部１３内に収納することにより、物品保持部材１０の係合部１１０の厚みを薄くすることができるため、物品保持具全体を薄くすることが可能となり、扉３との一体感のあるデザインの物品保持具とすることができる。
【００４１】
また、本発明の物品保持具は、脱落防止部１２０と受け部１３が一体に形成されているので、タオル等の物品を上から掛けることにより簡単にセットすることができ、また、そのまま上に持ち上げることにより簡単に取り外すことができる。
【００４２】
また、受け部１３の上方が開口した形状であるので、脱落防止部１２０に取っ手を有する袋、例えばレジ袋等を掛けることも可能となる。
【００４３】
さらに、脱落防止部１２０の上方に、扉３側に向けて湾曲した返し部１２１が形成されているので、保持したタオル等の物品は容易に脱落することがない。
【００４４】
以上、実施形態に基づき本発明を説明したが、本発明は上記の実施形態に何ら限定されるものではなく、その要旨を逸脱しない範囲内において各種の変更が可能である。
【００４５】
例えば、図１、図２に示した扉押え部２２１の下方には、扉３の面と扉押え部２２１の位置を調整するための位置調整部材２５が形成されているが、扉３の形状に応じてこの位置調整部材２５を設けないようにしてもよい。
【００４６】
また、引掛け部２１０の扉３と接触する部位には、扉３との固定を強力にするために、また、扉３に傷を付けないようにするためにクッション材等を設けることもできる。
【００４７】
さらに、上記実施形態では、取り付け部材２０と物品保持部材１０を一体化する際に、取り付け部材２０のガイド用溝２２５に沿って、物品保持部材１０の内部両側に形成された凸状部１１１をガイド用溝２２５にはめ込んで一体化しているが、物品保持部材１０に鉤部等を設けて、取り付け部材２０に正面からはめ込んで一体化するようにしてもよい。
【００４８】
また、物品保持部材１０を取り付け部材２０に嵌挿する際に、ガイド用溝２２５の下方端近傍にさらに凹部を設け、物品保持部材１０が装着された状態で、凸状部１１１が、前記凹部に相対する部分にさらに微小高さの凸部を形成し、前記の凸部と凹部の嵌合により、物品保持部材の上方への離脱を防止する構造を備えてもよい。
【００４９】
なお、上記実施形態では、取り付け部材２０を、引掛け部２１０により扉３の上部に引掛けるようにして扉３に固定しているが、本発明の物品保持具では、このような構成のほか、引掛け部２１０と同様の構成を横方向、下方向に設けることにより、扉３の何れの位置にも取り付け可能な構成とすることもできる。
【符号の説明】
【００５０】
１０  物品保持部材
１１０  係合部
１２０  脱落防止部
１２１  返し部
１３  受け部
２０  取り付け部材
２１０  引掛け部
２１１  正面側片
２１２  裏面側片
２１３  連結片
２１４  ねじ溝
２２０  取り付け部材本体
２２１  扉押え部
２２２  折り返し部
２２３  連結部
２２６  ガイド壁
２３０  ねじ
２３１  ねじ部
３  扉
【図１】
0005927581.tif 000002
【図２】
0005927581.tif 000003
【図３】
0005927581.tif 000004
【図４】
0005927581.tif 000005